(57)【特許請求の範囲】
【請求項１】
上部開放のスラリー貯留槽と、円筒形ドラムの外周面に濾過室を介して濾布が張設されたドラム濾材と、このドラム濾材の濾過室内に真空圧および加圧を作用させる手段とを備え、前記ドラム濾材は、その一部が前記スラリー貯留槽のスラリー中に浸漬した状態で回転するように配設された回転円筒型真空濾過機を使用し、
前記ドラム濾材の回転に伴って、一回転毎に、次記(a)〜(c)の工程が行われることを特徴とする固液分離方法。
(a)  前記スラリー貯留槽に位置する前記ドラム濾材内側に真空圧を作用させてドラム濾材上にケーキを形成するケーキ形成工程。
(b)  ドラム濾材上のケーキに対して前記ドラム濾材内側に真空圧を作用させたままで、当該ケーキの一部が前記ドラム濾材上に残留するように、ケーキ表面から所定厚さ分のケーキを掻き取る工程。
(c)  前記ドラム濾材上の残留ケーキが前記スラリー貯留槽のスラリーに浸漬し、且つ残留ケーキが位置する濾過室の一室全体がスラリー内に浸漬した後に、この全体がスラリー内に浸漬した濾過室内を加圧してドラム濾材上の残留ケーキを前記スラリー貯留槽のスラリー中にブローバックさせる工程。
【請求項２】
前記(b)の工程にてケーキの掻き取りが行われた後、かつ前記(c)の工程にて残留ケーキがスラリー貯留槽のスラリーに浸漬する前に、当該残留ケーキが付着しているドラム濾材内側を大気圧とするとともに、ドラム濾材上の残留ケーキに前記スラリー貯留槽のスラリーと実質的に同一のスラリーを投射する請求項１記載の固液分離方法。
【請求項３】
前記(a)の工程にてドラム濾材上にケーキが形成された後、かつ前記(b)の工程にてケーキの掻き取りが行われる前に、前記ドラム濾材上のケーキに対して蒸気を供給する請求項１または２記載の固液分離方法。
【請求項４】
前記(a)の工程にてドラム濾材上にケーキが形成された後、かつ前記(b)の工程にてケーキの掻き取りがなされる前に、ドラム濾材上のケーキに対して温水を供給してケーキの温水洗浄を行う請求項１〜３のいずれか１項に記載の固液分離方法。
【請求項５】
前記(b)の工程にて掻き取られたケーキの含液率が、このケーキ中の固形物に対して８〜１０ｗｔ％である請求項１〜４のいずれか１項に記載の固液分離方法。
【請求項６】
上部開放のスラリー貯留槽と、円筒形ドラムの外周面に濾過室を介して濾布が張設されたドラム濾材と、このドラム濾材の濾過室内に真空圧および加圧を作用させる手段とを備え、前記ドラム濾材は、その一部が前記スラリー貯留槽のスラリーに浸漬した状態で回転するように配設された回転円筒型真空濾過機において、
前記ドラム濾材の回転に伴って、
前記スラリー貯留槽に位置する前記ドラム濾材内側に真空圧を作用させてドラム濾材上にケーキを形成する手段と、
ドラム濾材上のケーキに対して前記ドラム濾材内側に真空圧を作用させたままで、当該ケーキの一部が前記ドラム濾材上に残留するように、ケーキ表面から所定厚さ分のケーキを掻き取る手段と、
前記ドラム濾材上の残留ケーキが前記スラリー貯留槽のスラリーに浸漬し、且つ残留ケーキが位置する濾過室の一室全体がスラリー内に浸漬した後に、この全体がスラリー内に浸漬した濾過室内を加圧してドラム濾材上の残留ケーキを前記スラリー貯留槽のスラリー中にブローバックさせる手段とを備えた回転円筒型真空濾過機。
【発明の詳細な説明】
【０００１】
【発明の属する技術分野】
本発明は、特に、低含水率のケーキが得られるとともに、装置コスト、装置のランニングコスト、および装置の設置スペースを低減せしめた固液分離方法およびこれを用いた回転円筒型真空濾過機に関する。
【０００２】
【従来の技術】
従来から、石膏、ビスフェノール、テレフタル酸などの製造方法においては、製造物が反応溶媒等に分散したスラリーとして得られるために、このスラリーから製造物を分離するのに種々の濾過機が用いられている。特に、かかる濾過機の中でも、回転円筒型真空濾過機は比較的に安価であり、かつ装置の設置面積当たりの濾過処理能力が高いとの理由から広く用いられている。
【０００３】
回転円筒型真空濾過機の概要を図７により説明すると、上部が開放されかつ下部にスラリー供給口２１を有するスラリー貯留槽２０と、外周面に濾過室３１，３１…を構成するための区画部材３２，３２…を介して濾布３３が張設された円筒形のドラム３０とを備えており、ドラム３０は、その一部がスラリー貯留槽２０に浸漬するように横向き配置に支持され、図中時計回りに回転される。３４は、区画部材３２，３２…間に充填された充填材である。
【０００４】
また、濾過室３１ａ，３１ａ…、３１ｂ、および３１，３１…は、それぞれ濾液パイプ４０ａ，４０ａ…、４０ｂ、および４０，４０…を介して図示しない自動弁に連通している。この自動弁によって、後述のスクレーパー５０によりケーキの掻き取りがなされる部位を除く濾過室３１，３１…、および３１ａ，３１ａ…は、常時吸引されて真空圧が作用するよう構成されている。
【０００５】
さらに、スラリー貯留槽２０から回転し移動してくる濾布３３面に臨んで洗浄液スプレーパイプ６０，６０が設けられる。また、ドラム３０の回転方向でスラリー貯留槽２０の後ろ側から上方に離間した位置に、ケーキＣを掻き取るためのスクレーパー５０が配設される。
【０００６】
スラリー貯留槽２０内のスラリーＳの固液分離は、ドラム３０の図中時計周りの回転に伴って行われる。
【０００７】
まず、ドラム３０の回転に伴い、スラリー貯留槽２０内のスラリーＳは、スラリー貯留槽２０に位置する濾過室３１ａ，３１ａが濾液パイプ４０ａ，４０ａおよび図示しない自動弁を介して真空ポンプ（図示せず）によって吸引されて真空圧状態とされる結果、濾布３３面上にケーキＣとなってピックアップされる。濾布３３面に付着したケーキＣはそのままドラム３０の時計方向の回転に伴って移動する。  次いで、スラリー貯留槽２０から移送される濾布３３上のケーキＣに対して、洗浄液スプレーパイプ６０，６０から洗浄液が投射されて洗浄が行われるとともに、濾過室３１，３１…内に真空圧が作用している関係から、洗浄液は吸引・濾過されて濾液パイプ４０，４０…を通じて排出される。
【０００８】
さらにドラム３０が回転し、洗浄・濾過後のケーキＣがスクレーパー５０の部位に到達すると、当該位置の濾過室３１ｂ内に濾液パイプ４０ｂを通して圧空が供給され、この圧空が濾布３３を通過してケーキＣを剥離する（ブローバック）とともに、当該圧空によって膨らんだ濾布３３にスクレーパー５０の刃先５０ａが当接してケーキＣ５が掻き取られ、排出される。
【０００９】
以降は、前述のケーキのピックアップ工程に戻り、同様の工程が繰り返される。
【００１０】
【発明が解決しようとする課題】
しかしながら、このような従来の回転円筒型真空濾過機においては、ケーキ排出の際に濾過室内を大気圧または加圧下とすることに起因し、十分に含水率の低いケーキが得られない。
【００１１】
すなわち、ケーキ排出の際に濾過室内を大気圧下とすると、濾布に付着した液分が毛細管現象によりケーキに再度吸収され、排出ケーキの含水率が高くなってしまう。
【００１２】
また、濾液パイプは、濾過室内を吸引して真空圧下とするとともに濾液の排出を行う際の通路としての機能と、ケーキを排出させるために濾過室内に圧空を供給する際の通路としての機能とを併せもつために、ケーキ排出の際には、濾液パイプ内に供給される圧空に伴って、当該濾液パイプ内に付着した濾液が濾布を通してケーキにまで吹き戻され、結果的に排出ケーキの含水率は高くなってしまう。
【００１３】
他方、含水率の低いケーキを得ることができるものとして、水平ベルト型真空濾過機および竪型遠心分離機が知られている。
【００１４】
しかしながら、上記水平ベルト型真空濾過機は、単位濾過面積当たりの装置床面積が大きく、回転円筒型真空濾過機に比べて広い設置スペースを確保する必要がある。さらに、水平ベルト型真空濾過機は、機械構造上、ケーキ含水率を低下させるためには、濾液吸引用のポンプを大きくする必要があり、装置コストおよび装置のランニングコストが嵩む。
【００１５】
竪型遠心分離機においては、一台当たりの濾過処理能力が低いことが問題となる。特に、前述の回転円筒型真空濾過機および水平ベルト型真空濾過機と同様の濾過処理能力が要求される場合には、竪型遠心分離機は複数台設置する必要があり、装置コストおよび装置のランニングコストが嵩むとともに、設置面積も大きくなってしまう。
【００１６】
そこで、本発明の主たる課題は、低含水率のケーキが得られるとともに、装置コスト、装置のランニングコスト、および装置の設置スペースを低減せしめることにある。
【００１７】
【課題を解決するための手段】
上記課題を解決した本発明のうち、請求項１に記載の発明は、上部開放のスラリー貯留槽と、円筒形ドラムの外周面に濾過室を介して濾布が張設されたドラム濾材と、このドラム濾材の濾過室内に真空圧および加圧を作用させる手段とを備え、前記ドラム濾材は、その一部が前記スラリー貯留槽のスラリー中に浸漬した状態で回転するように配設された回転円筒型真空濾過機を使用し、
前記ドラム濾材の回転に伴って、一回転毎に、次記(a)〜(c)の工程が行われることを特徴とする固液分離方法である。
(a)  前記スラリー貯留槽に位置する前記ドラム濾材内側に真空圧を作用させてドラム濾材上にケーキを形成するケーキ形成工程。
(b)  ドラム濾材上のケーキに対して前記ドラム濾材内側に真空圧を作用させたままで、当該ケーキの一部が前記ドラム濾材上に残留するように、ケーキ表面から所定厚さ分のケーキを掻き取る工程。
(c)   前記ドラム濾材上の残留ケーキが前記スラリー貯留槽のスラリーに浸漬し、且つ残留ケーキが位置する濾過室の一室全体がスラリー内に浸漬した後に、この全体がスラリー内に浸漬した濾過室内を加圧してドラム濾材上の残留ケーキを前記スラリー貯留槽のスラリー中にブローバックさせる工程。
【００１８】
請求項２に記載の発明は、前記(b)の工程にてケーキの掻き取りが行われた後、かつ前記(c)の工程にて残留ケーキがスラリー貯留槽のスラリーに浸漬する前に、当該残留ケーキが付着しているドラム濾材内側を大気圧とするとともに、ドラム濾材上の残留ケーキに前記スラリー貯留槽のスラリーと実質的に同一のスラリーを投射する請求項１記載の固液分離方法である。
【００１９】
請求項３に記載の発明は、前記(a)の工程にてドラム濾材上にケーキが形成された後、かつ前記(b)の工程にてケーキの掻き取りが行われる前に、前記ドラム濾材上のケーキに対して蒸気を供給する請求項１または２記載の固液分離方法である。
【００２０】
請求項４に記載の発明は、前記(a)の工程にてドラム濾材上にケーキが形成された後、かつ前記(b)の工程にてケーキの掻き取りがなされる前に、ドラム濾材上のケーキに対して温水を供給してケーキの温水洗浄を行う請求項１〜３のいずれか１項に記載の固液分離方法である。
【００２１】
請求項５に記載の発明は、前記(b)の工程にて掻き取られたケーキの含液率が、このケーキ中の固形物に対して８〜１０ｗｔ％である請求項１〜４のいずれか１項に記載の固液分離方法である。
【００２２】
請求項６に記載の発明は、上部開放のスラリー貯留槽と、円筒形ドラムの外周面に濾過室を介して濾布が張設されたドラム濾材と、このドラム濾材の濾過室内に真空圧および加圧を作用させる手段とを備え、前記ドラム濾材は、その一部が前記スラリー貯留槽のスラリーに浸漬した状態で回転するように配設された回転円筒型真空濾過機において、
前記ドラム濾材の回転に伴って、
前記スラリー貯留槽に位置する前記ドラム濾材内側に真空圧を作用させてドラム濾材上にケーキを形成する手段と、
ドラム濾材上のケーキに対して前記ドラム濾材内側に真空圧を作用させたままで、当該ケーキの一部が前記ドラム濾材上に残留するように、ケーキ表面から所定厚さ分のケーキを掻き取る手段と、
前記ドラム濾材上の残留ケーキが前記スラリー貯留槽のスラリーに浸漬し、且つ残留ケーキが位置する濾過室の一室全体がスラリー内に浸漬した後に、この全体がスラリー内に浸漬した濾過室内を加圧してドラム濾材上の残留ケーキを前記スラリー貯留槽のスラリー中にブローバックさせる手段とを備えた回転円筒型真空濾過機。
【００２３】
【発明の実施の形態】
以下、添付図面を参照しながら、本発明についてさらに詳述する。
【００２４】
＜第１の態様＞
図１および図２は、請求項１に記載の固液分離方法を適用した回転円筒型真空濾過機（以下、第１の態様という）を示している。その装置構成は、従来型の回転円筒型真空濾過機（図７参照）を基本としており、特にスクレーパー１１はその刃先１１ａが濾布２ｂ表面から所定距離だけ離間するように配設されるとともに、自動弁部材８によって、スラリー貯留槽１のスラリーＳに浸漬している濾過室のうち回転方向に後ろ側の濾過室３ｂ，３ｂには圧空が送りこまれ、それ以外の位置の濾過室３ａ，３ａおよび３，３…は常時吸引されて真空圧が作用するようになっている。
【００２５】
すなわち、本第１の態様は、上部が開放されかつ下部にスラリー供給口１ａを有するスラリー貯留槽１と、外周面に濾過室３，３…を構成するための区画部材２ａ，２ａ…を介して濾布２ｂが張設された円筒形のドラム２とを備えており、ドラム２は、その一部がスラリー貯留槽１に浸漬するように、横向き配置に、軸体４ａ，４ｂおよび軸受け５ａ，５ｂによって回転自在にスラリー貯留槽１上に支持される。２ｃ，２ｃは、濾布２ｂを区画部材２ａを介してドラム２の外周面に固定するためのステンレスバンドであり、２ｄ，２ｄは、区画部材２ａ間に充填された充填材である。
【００２６】
一方側の軸体４ａにはスプロケット６ａが設けられ無端チェーン６ｂを介してメイン回転駆動手段６に連結されており、これによってドラム２は図中時計回りに回転される。他方側の軸体４ｂには、回転軸方向にパイププレート７を介して自動弁部材８が密接されるとともに、前記濾過室３ａ，３ａ、３ｂ，３ｂおよび３，３…と自動弁部材８とは、ドラム２、軸体４ｂおよびパイププレート７を通して配設されるそれぞれの濾液パイプ９ａ，９ａ、９ｂ，９ｂおよび９，９…によって連通するよう構成されている。ここに自動弁部材８は、ドラム２の回転に伴って、パイププレート７および濾液パイプ９ａ，９ａ、９ｂ，９ｂおよび９，９…を介して、スラリー貯留槽１のスラリーＳに浸漬している濾過室のうち回転方向に後ろ側の濾過室３ｂ，３ｂには圧空を送り込み、それ以外の位置の濾過室３ａ，３ａおよび３，３…は常時吸引されて真空圧が作用するよう構成されている。
【００２７】
さらに、ドラム２の回転方向でスラリー貯留槽１の後ろ側から上方に離間した位置に、ケーキＣを掻き取るためのスクレーパー１１がその刃先１１ａが濾布２ｂ表面から所定の離間距離をもつように配設される。
【００２８】
スラリー貯留槽１内には、略水平配置の軸体１２ａにこの軸心に沿って外周面の四方に羽根板１２ｂが固設されたスラリー攪拌手段１２が設けられている。スラリー攪拌手段１２は、その一端側がスラリー貯留槽１外に配されたサブ回転駆動手段１２ｃに連結されており、このサブ回転駆動手段１２ｃにより回転される。
【００２９】
また、かかる回転円筒型真空濾過機にスラリーを供給するためのスラリー供給系として、スラリー供給タンク１３が備えられ、このスラリー供給タンク１３のスラリーは、常時、ポンプＰによってフィードパイプＦ１を通してスラリー導入口１ａからスラリー貯留槽１に供給され、一方で、スラリー貯留槽１にオーバーフロー部１ｂが設けられ、オーバーフローしたスラリーはスラリー供給タンク１３に返送路１３ａを通して返送されるよう構成されている。よって、スラリー貯留槽１内の液面レベルは常に一定に保持される仕組みとなっている。
【００３０】
スラリー貯留槽１内のスラリーＳの固液分離は、メイン回転駆動手段６を作動させてドラム２を図中時計周りに回転させることにより開始される。
(a)  ドラム２の回転に伴い、スラリー貯留槽１内のスラリーＳは、スラリー貯留槽１に位置する濾過室のうち回転方向に前側の濾過室３ａ，３ａ内が濾液パイプ９ａ，９ａ、および自動弁部材８を介して図示しない真空ポンプによって吸引されて真空圧状態とされる結果、濾布２ｂ面上にケーキＣとなってピックアップされる。濾布面に付着したケーキＣはそのままドラム２の時計方向の回転に伴って移動しつつ、濾過室３，３…が真空圧状態に維持されるために、さらなる吸引濾過がなされる。
【００３１】
(b)  さらにドラム２が回転すると、ドラム濾材上のケーキに対して濾過室３，３…内に真空圧が作用した状態を維持しつつ、濾布２ｂ表面から所定距離だけ離間して配置されたスクレーパー１１によって、当該ケーキＣの表面側Ｃ１が前記離間距離に相当する厚さ分のケーキＣ２を濾布２ｂ面上に残留させつつ掻き取られ排出される。
【００３２】
(c)  さらなるドラム２の回転によって、濾布上の残留ケーキＣ２はスラリー貯留槽１のスラリーＳに浸漬される。この際に、残留ケーキＣ２が位置する濾過室３ｂの一室全体がスラリーＳ内に浸漬すると、前記自動弁部材８によって濾液パイプ９ｂ，９ｂを通して当該濾過室３ｂ，３ｂに圧空が送り込まれる。この圧空により残留ケーキＣ２はスラリー貯留槽１のスラリーＳ中にブローバックされる。ブローバックされた残留ケーキＣ３はスラリー攪拌手段１２により攪拌されスラリーＳに再び分散される。
以降、(a)に戻って、同様の動作が繰り返される。
【００３３】
かくして、本第１の態様では、ケーキ排出時においても濾布内側に真空圧が作用している関係から、濾布２ｂに付着した濾液には濾過室３，３…内に向かって吸引力が作用するために、当該濾液は毛細管現象によりケーキＣに再吸収されることがないとともに、濾液パイプ９内に付着した濾液がケーキＣに吹き戻されることもなく、したがって、排出ケーキの含水率が従来の方法に比べて２〜３％低減される。
【００３４】
なお、スクレーパー１１の離間距離としては、ケーキ厚の１〜２割程度とするのが好ましい。
【００３５】
また本第１の態様では、ドラム２の一回転毎に、前記(c)の工程で、残留ケーキＣ２がスラリーＳに浸漬した状態で、濾布２ｂ内からの圧空により当該残留ケーキＣ２をスラリー貯留槽１のスラリー中にブローバックさせるため、濾布２ｂの目詰まりが抑制される。よって、長期にわたる連続運転が可能となる。
【００３６】
＜第２の態様＞
図３は、請求項２に記載の発明を適用した回転円筒型真空濾過機（以下、第２の態様という）を示している。その装置構成は、前記第１の態様を基本とし、さらに、ドラム２の回転方向でスクレーパー１１とスラリー貯留槽１の液面Ｓ１との間に濾布面２ｂに臨んでスラリーを投射するスラリースプレーパイプ１４が設けられている。このスラリースプレーパイプ１４には、第１フィードパイプＦ１から分岐した第２フィードパイプＦ２が連結されている。したがって、スラリー供給タンク１３からスラリー貯留槽１に供給されるスラリーの一部が第２フィードパイプＦ２を通してスラリースプレーパイプ１４に供給される。また、特に、上記第１の態様においては、ケーキ排出後かつスラリー貯留槽１内のスラリーＳに浸漬される前の濾過室に対しては、真空圧状態を維持するように自動弁部材を構成していたが、本第２の態様においては、当該濾過室３ｃに大気を導入して大気圧状態となるよう自動弁部材（図示せず）が構成される。
【００３７】
次に、その動作構成について説明する。本第２の態様では、基本的に前記第１の態様と同様にして、ドラムの回転に伴って(a)濾布上へのケーキ形成、(b)ケーキの掻き取り、(c)スラリー中での残留ケーキのブローバックがなされ、これに加えて、前記(b)の工程において濾布２ｂ上に残留したケーキＣ２は、(c)の工程においてスラリー貯留槽１のスラリーＳに浸漬するまでの移動過程において、自動弁部材（図示せず）および濾液パイプ９ｃを介して図示しない真空ポンプによって当該残留ケーキＣ２の位置する濾過室３ｃ内が大気圧下とされた上で、スラリースプレーパイプ１４より当該残留ケーキＣ２に対してスラリーが投射され、濾布２ｂ上から洗い落とされる。この後は、前記(c)の工程が行われ、スラリーの投射によっても濾布２ｂ上から洗い落とされない残留ケーキＣ４が、スラリー貯留槽１のスラリーＳ中にブローバックされる。
【００３８】
かかるとおり、本第２の態様は、前記第１の態様の(c)工程におけるスラリー中での残留ケーキのブローバックに加えて、(b)工程におけるケーキ掻き取り後に、スラリーにより残留ケーキＣ２の洗い落とし、および濾布洗浄がなされるため、より目詰まり防止効果に優れる。よって、本第２の態様に係る装置は長期間の連続運転が可能となる。具体的には、従来装置の連続運転期間は２〜３ヵ月であるのに対して、本第２の態様に係る装置の連続運転期間は約６ヵ月程度である。
【００３９】
以上に説明した第１および第２の態様によっても、結晶が細かいまたはその他の原因によってケーキの含水率が高くなる場合には、次記第３の態様に従うのが好ましい。
【００４０】
＜第３の態様＞
図４は、請求項３記載の固液分離方法を適用した回転円筒型真空濾過機（以下、第３の態様という）を示している。その装置構造は、前述の第１の態様を基本とし、さらに、ドラム２の上方に離間し、ドラム回転方向にスラリー貯留槽１の前側からスクレーパー１１手前の位置までの濾布２ｂ面を囲み、上部に蒸気供給口１５ａを有する蒸気擁壁１５が設けられる。
【００４１】
本第３の態様においては、前記第１の態様と同様にして、ドラム２の回転に伴い(a)濾布上へのケーキ形成、(b)ケーキの掻き取り、(c)スラリー中での残留ケーキのブローバックがなされる一方で、図示しない蒸気供給源からの蒸気が蒸気供給口１５ａを通して蒸気擁壁１５内に供給される。擁壁１５内に供給された蒸気Ｖにより、濾布２ｂ上のケーキＣに含有されているスラリー溶媒は温められて粘度が低下（具体的には３〜６％低下する）し、より効果的に吸引濾過が行われる。この結果、排出ケーキＣ１の含水率が低下する。  図４に示す蒸気擁壁１５は、ドラム回転方向にスラリー貯留槽１の前側からスクレーパー１１手前の位置までの濾布２ｂ面をほぼ囲むように設けられているが、これに限定する必要はなく、適宜の位置に設けることができる。
【００４２】
＜その他の態様＞
上記第１〜３の態様で説明した回転円筒型真空濾過機には、図６に示すように、必要に応じてスラリー貯留槽１から回転移動してくる濾布２ｂ外面に臨んで洗浄水スプレーパイプ１０，１０を設けても良い。この場合、前記(a)の工程にてドラム濾材上にケーキが形成された後、かつ前記(b)の工程にてケーキの掻き取りがなされる前に、ドラム濾材上のケーキに対して洗浄水スプレーパイプ１０から洗浄水が投射されて洗浄が行われるとともに、濾過室３，３…内に真空圧が作用している関係から、洗浄水は吸引・濾過されて濾液パイプ９，９…を通じて排出される。
【００４３】
また、かかるとおり洗浄液スプレーパイプ１０を設けた場合、洗浄水として温水を供給するのは好ましい。温水の温度は、３５〜８０℃が好ましく、この温度範囲においては、ケーキに浸透した洗浄水およびケーキ中のスラリー溶媒が容易に吸引・濾過される。
【００４４】
他方、以上に説明したとおり、本発明は、基本的に目詰まりが生じにくい構成となっている。しかし、定期的にもしくは目詰まりが生じた場合には、濾布面の洗浄を行う必要がある。
【００４５】
この場合、図６に示すように、ドラム回転方向で洗浄水スプレーパイプ１０とスラリー貯留槽１の間に濾布２ｂ面に臨んで高圧洗浄水スプレーパイプ１６を設けて、目詰まりが生じた場合もしくは定期的に、濾布２ｂ面を洗浄するのが好ましい。
【００４６】
高圧洗浄を行う場合には、まず、スラリーの固液分離を中断するとともに、全ての濾過室３，３…は大気圧または加圧下とされる。しかるのちに、ドラム２を回転させながら、高圧洗浄スプレーパイプ１６から濾布２ｂ面に高圧洗浄水を投射することによって、濾布２ｂに目詰まったケーキが洗浄・除去される。
【００４７】
なお、図６は第１の態様を基本とした例を示しているが、第２および第３の態様を基本として用いても良いことはいうまでもない。
【００４８】
以下、実施例を示して本発明の効果を明らかにする。
＜実施例＞
本発明に係る回転円筒型真空濾過機の試験機、および従来の回転円筒型真空濾過機、水平ベルト型真空濾過機、および竪型遠心分離機を使用して、排煙脱硫スラリーからの石膏の分離設備を設計し、その性能比較実験をおこなった。設備の設計条件を以下に示す。
設計条件    処理量：２０トン／hr（水分０％規準）
スラリー濃度：２０ｗｔ％
分離結晶の平均粒径：５０〜１００μｍ
スラリー温度：常温〜常温＋２０℃
ケーキの含水率：１０ｗｔ％以下
塩素含有率：１００ppm 以下
なお、従来の回転円筒型真空濾過機だけは、排出ケーキの含水率を１０ｗｔ％とすることはできないため、この条件を除外して設計した。
上記設計条件における性能比較実験の結果を表１に示す。
【００４９】
【表１】
0003773130.tif 000002
【００５０】
表１からも明らかなとおり、従来型の回転円筒型真空濾過機ではケーキ含水率を１０％以下にすることは不可能であるが、本発明の回転円筒型真空濾過機では可能であった。さらに、本発明の回転円筒形真空濾過機を使用した設備の設置面積は、水平ベルト型真空濾過機および竪型遠心分離機を使用した設備の４２．４〜３５．０％で済み、設備の省スペース化を図れる。また、本発明の回転円筒型真空濾過機は、その動作電力量は、従来の回転円筒型真空濾過機に比べて弱冠増加するものの、水平ベルト型真空濾過機の約７４％、竪型遠心分離機の約３５％で済み、ランニングコストを抑えることが可能である。
【００５１】
本実施例では、排煙脱硫スラリーから石膏を分離する場合を示したが、本発明はこれに限定されるものではなく、例えば、ビスフェノール、テレフタル酸等の製造に使用しても同様の結果となることは、実施例を示すまでもなく、当業者が容易に理解できるものである。
【００５２】
【発明の効果】
以上のとおり、本発明によれば、低含水率のケーキが得られるとともに、装置コスト、装置のランニングコスト、および装置の設置スペースを低減するなどの利点がもたらされる。
【図面の簡単な説明】
【図１】  本発明の第１の態様を示す縦断面図である。
【図２】  その横断面図である。
【図３】  本発明の第２の態様を示す縦断面図である。
【図４】  本発明の第３の態様を示す縦断面図である。
【図５】  その類似例を示す縦断面図である。
【図６】  本発明のその他の態様を示す縦断面図である。
【図７】  従来の回転円筒型真空濾過機の概要を示す縦断面図である。
【符号の説明】
１…スラリー貯留槽、２…ドラム、３…濾過室、１２…スラリー攪拌手段、１３スラリー供給タンク、Ｓ…スラリー、Ｃ…ケーキ。
【図１】
0003773130.tif 000003
【図２】
0003773130.tif 000004
【図３】
0003773130.tif 000005
【図４】
0003773130.tif 000006
【図５】
0003773130.tif 000007
【図６】
0003773130.tif 000008
【図７】
0003773130.tif 000009